(57)【要約】      （修正有）【課題】円板状切刃において刈刃の切れ味を長寿命にすることができるとともに、安全な刈払機用刈刃を提供する。【解決手段】刈払機用の円板状刈刃１において、前記円板状刈刃１の基板２より放射状に突設した少なくとも１個の切刃３の側面に鋸歯５を形成するとともに、前記切刃３の先端両側に面取り部６を形成することで前記切刃３の先端を台形形状にした。【選択図】図１
0003197368.tif 000002
【実用新案登録請求の範囲】
【請求項１】
刈払機用の円板状刈刃において、前記円板状刈刃の基板より放射状に突設した少なくとも１個の切刃の先端両側に面取り部を形成することで先端を台形形状にしたことと、前記切刃の側面に鋸歯を形成することを特徴とする刈払機用刈刃。
【請求項２】
前記面取り部は上面を研磨して切刃を形成した請求項１に記載の刈払機用刈刃。
【請求項３】
前記鋸歯は、基板より放射状に突設した切刃に対して正面視表裏対象の位置に鋸歯を形成した請求項１に記載の刈払機用刈刃。
【請求項４】
前記鋸歯は、先端から内側に向かうにしたがって、両側に拡がるように傾斜して台形形状に形成した請求項１に記載の刈払機用刈刃。
【請求項５】
前記鋸歯は、先端から内側に向かって略同一の幅に形成した請求項１に記載の刈払機用刈刃。
【考案の詳細な説明】
【技術分野】
【０００１】
本考案は、雑草や蔦や笹や芝刈り等を行なう刈払機に用いる刈払機用刈刃に関するものである。
【背景技術】
【０００２】
従来より刈払機に用いる円板状の刈刃は、種々提案されており、チップ状            の切刃が溶接されているものが一般的であった。
【０００３】
特許文献１には刈払機用チップソーが示されているが、この刈払機用直線状のチップソーは、使用を開始して１時間程度で切れ味が低下してしまい、刈払機のエンジンの回転数を上げることで対応していたが、エンジンの音が大きくなって騒音になるとともに、刈刃が高速で回転するために衝撃でチップが欠損してバランスが崩れて危険であるという課題があった。
【先行技術文献】
【特許文献】
【０００４】
【特許文献１】特開平０８−０７１８４３号公報
【考案の概要】
【考案が解決しようとする課題】
【０００５】
本考案は、上記従来の課題を解決するためになされたものであり、刈刃の切れ味を長寿命にすることができるとともに、安全な刈払機用刈刃を提供することにある。
【課題を解決するための手段】
【０００６】
上記課題を解決するため、本考案の刈払機用刈刃は、刈払機用の円板状刈刃において、前記円板状刈刃の基板より放射状に突設した少なくとも１個の切刃の先端両側に面取り部を形成することで台形状態にするとともに、前記切刃の側面に鋸歯を形成することを特徴とする。
又、本考案にあっては、前記面取り部は上面を研磨して切刃を形成していることが望ましい。
又、本考案にあっては、前記鋸歯は、基板より放射状に突設した切刃に対して正面視表裏対象の位置に鋸歯を形成していることが望ましい。
又、本考案にあっては、図２、前記鋸歯は、先端から内側に向かうにしたがって、両側に拡がるように傾斜して三角形に形成していることが望ましい。
又、本考案にあっては、前記鋸歯は、先端から内側に向かうにしたがって、略同一の幅に形成していることが望ましい。
【考案の効果】
【０００７】
本考案の刈払機用刈刃は、刈払機用の円板状刈刃において、前記円板状刈刃の基板より放射状に突設した少なくとも１個の切刃の先端両側に面取り部を形成することで前記切刃の先端を台形形状にするとともに、側面に鋸歯を形成したことを特徴とするものであるから、切刃の先端が石などに衝突しても面取り部で逃げるので切刃に大きな衝撃が加わることが無く、その結果、切刃の先端が変形することが無いとともに台形形状部は摩耗しても形状を保つので、長時間使用できるという効果がある。
又、請求項２のように、前記面取り部は上面を研磨して切刃を形成したものは、面取り部でも雑草や蔦や笹や芝刈りができるという効果と面取り部が摩耗しても摩耗後も形状を保つので、長時間使用できるという効果がある。
又、請求項３のように、前記鋸歯は、基板より放射状に突設した切刃に対して正面視表裏対象の位置に鋸歯を形成したものは、表裏ひっくり返すだけで両面の鋸刃を使用することができ、２倍の寿命があるという効果がある。
又、請求項４のように、前記鋸歯を、先端から内側に向かうにしたがって、両側に拡がるように傾斜して台形形状に形成した刈刃は、雑草や蔦や笹等を効率よく刈込むことが出来ると共に長時間の使用が可能である。
又、請求項５のように、前記鋸歯は、先端から内側に向かって略同一の幅に形成した刈刃は、芝等が綺麗に刈込めると共に長時間の使用が可能である。
【図面の簡単な説明】
【０００８】
【図１】図１は、本考案の鋸目刈払機用刈刃の全体正面図である
【図２】図２は、本考案の鋸目刈払機用刈刃の部分拡大図である。
【図３】図３は、本考案の鋸目刈払機用刈刃の部分拡大図である。
【図４】図４は、従来の刈払機用刈刃の部分拡大図である。
【考案を実施するための形態】
【０００９】
以下、本考案の実施の形態を図１乃至図３に基づいて詳述すると、刈払機用刈刃１は、刈払機用の円板状刈刃１において、円板状刈刃１の基板２より放射状に突設した切刃３の側面４に鋸歯５を形成するとともに、切刃３の先端両側に面取り部６を形成することで切刃３の先端を台形形状に形成している。
【００１０】
刈払機用刈刃１は、板厚（ｔ）が１．２５ミリメートル、外径（Ｄ１）が２５０ミリメートルのＳＫＳ−５（合金工具鋼鋼材）で形成されているが、その他の材料で、外径（Ｄ１）は刈払機の大きさに合わせる。
【００１１】
基板２は、径（Ｄ２）が１６０ミリメートルの円板状に形成されており、幅（Ｂ１）が６０ミリメートルの切刃３が突設されるとともに中央に取付穴７が形成されている。基板２の径（Ｄ２）は刈払機の大きさに合わせる。
【００１２】
切刃３の先端両側に長さ（Ｌ）が２０ミリメートルで幅（Ｂ）が３ミリメートルの面取り部６を形成することで切刃３の先端を台形形状に形成しており、石が切刃３の先端に当たっても面取り部６で石を弾いて鋸歯へ石との衝撃を小さくすることができるのであり、鋸歯５の先端が変形するのを防止することができるという効果があり、多少変形しても欠損させることなく修復ができるのである。
【００１３】
面取り部６の端縁８の上面を研磨して第２の切刃９が切刃３の先端に形成されている。第２の切刃９の部分で雑草や蔦や笹や芝の切断を行なうと、第２の切刃９の先端部分及び第２の切刃９の下面部分の摩耗が始まり使用していくに従って第２の切刃９の先端部分と下面部分とで構成される切刃の角度が維持されるのであり、長時間切れ味の良い状態を維持することができるのである。
【００１４】
図２に示すように、切刃３には、正面視表裏対象の位置に長さ（Ｌ１）１４ミリメートルで幅（Ｂ２）９ミリメートルの三角形の鋸刃が形成されている。鋸歯５の部分で雑草や蔦や笹等を刈り取るのであるが、鋸歯５は、回転方向に対し、切刃３との間で傾斜した逃げ角度αが設けられている。
【００１５】
図２に示すように、鋸歯５は、複数個の連接した三角形の山の部分５ａと谷の部分５ｂとで構成されており、切刃３の側面に沿って形成されている。鋸歯５の部分で雑草や笹刈りの切断を行なうと、鋸歯５の山の部分５ａから摩耗が始まり使用していくに従って谷の部分５ｂが深くなり、その後、山の部分５ａが徐々に鋭角になっていくのであり、長時間切れ味の良い状態を維持することができるのである。
【００１６】
図３は、鋸歯の他の実施例を示すものであり、切刃３には、正面視表裏対象の位置に長さ（Ｌ２）が７ミリメートルで幅（Ｂ３）３ミリメートル（Ｂ４）２ミリメートルの略同一幅に鋸歯５０が形成されている。鋸歯５０の部分で芝刈等を行なうのであるが、鋸歯５０は、回転方向に対し、切刃３との間で傾斜した逃げ角度αが設けられている。
【００１７】
図３に示すように、鋸歯５０は、複数個の連接した略同一幅の山の部分５０ａと谷の部分５０ｂとで構成されており、切刃３の側面に沿って形成されている。鋸歯５０の部分で芝等の切断を行なうと、鋸歯５０の山の部分５０ａから摩耗が始まり使用していくに従って谷の部分５０ｂが深くなり、その後、山の部分５０ａが徐々に鋭角になっていくのであり、長時間切れ味の良い状態を維持することができるのである。
【符号の説明】
【００１８】
１        刈払機用刈刃
２        基板
３        切刃
４        切刃の側面
５、５０  鋸歯
６        面取り部
７        取付穴
８        面取り部の端縁
９        第２の切刃
【図１】
0003197368.tif 000003
【図２】
0003197368.tif 000004
【図３】
0003197368.tif 000005
【図４】
0003197368.tif 000006